(57)【要約】【課題】  作業者が開閉器を手動で操作するにあたり、選択した開閉器と作業者が操作しようとする開閉器とが一致しているか否かを確認することができる配電自動化システムを提供することを課題とする。【解決手段】  開閉器Ｓを識別するための識別情報Ｓ１を取得する送信装置１と、該送信装置１が取得した識別情報Ｓ１を基に処理を行う処理装置２と、該処理装置２の処理結果を表示する表示装置３とを備え、処理装置２は、操作対象とする開閉器を選択する選択機能２０と、送信装置１が取得した識別情報Ｓ１を受信するための受信機能２１と、選択機能２０で選択した開閉器と受信機能２１で受信した識別情報Ｓ１が示す開閉器Ｓとが一致していなければ、その旨を示す警告情報を表示装置３に表示する命令を出力する警告機能２２とを有することを特徴とする配電自動化システム。【選択図】図１
2014158314.tif 000002
【特許請求の範囲】
【請求項１】
開閉器を識別するための識別情報を取得する送信装置と、該送信装置が取得した識別情報を基に処理を行う処理装置と、該処理装置の処理結果を表示する表示装置とを備え、処理装置は、操作対象とする開閉器を選択する選択機能と、送信装置が取得した識別情報を受信するための受信機能と、選択機能で選択した開閉器と受信機能で受信した識別情報が示す開閉器とが一致していなければ、その旨を示す警告情報を表示装置に表示する命令を出力する警告機能とを有することを特徴とする配電自動化システム。
【請求項２】
処理装置は、開閉器の状態を示す情報である切替情報を変更する変更機能と、警告機能が警告情報を表示装置に表示する命令を出力しているときに、切替情報の変更を禁止するロック機能とを有する請求項１に記載の配電自動化システム。
【請求項３】
処理装置は、選択機能で選択された開閉器と受信機能で受信した識別情報が示す開閉器とが一致していると、送信装置が開閉器から識別情報を取得した時刻を示す時刻情報を表示装置に表示する命令を出力する確認状況表示機能を有する請求項１又は２に記載の配電自動化システム。
【発明の詳細な説明】
【技術分野】
【０００１】
本発明は、配電系統の監視及び制御を行う配電自動化システムに関する。
【背景技術】
【０００２】
従来から、需要家に電力を供給する配電系統の監視及び制御を行うための配電自動化システムが提供されている。かかる配電自動化システムは、配電系統に繋がる開閉器を遠隔制御することで故障区間の特定や、復旧等の作業を行うことができるようになっている（例えば、特許文献１参照）。
【０００３】
より具体的に説明すると、配電自動化システムは、操作対象とする開閉器を選択する選択機能と、選択機能によって選択した開閉器を開いた状態と閉じた状態とに切替可能な変更機能とを有する処理装置を備えており、操作対象とする開閉器を選択機能で選択した後に、当該開閉器の入切を変更機能で切り替えることができるとされている。
【先行技術文献】
【特許文献】
【０００４】
【特許文献１】特開２０１２−１３４８９５号公報
【発明の概要】
【発明が解決しようとする課題】
【０００５】
ところで、配電系統に繋がる開閉器には、配電自動化システムから遠隔制御することができないものがある（すなわち、作業者が手動で操作することが必要となるものがある）。このような開閉器の状態を切り替える場合、まず、選択機能で操作対象となる開閉器を選択し、当該開閉器の情報を作業者に伝達する。そして、作業者は、伝達された情報を基に操作対象となる開閉器を探し出したうえで、当該開閉器を手動で操作している。
【０００６】
しかしながら、上述のような配電自動化システムでは、選択機能で選択した開閉器と作業者が操作しようとする開閉器とが一致しているか否かの判断を作業者自身に委ねることになるため、作業者が選択機能で選択した開閉器とは異なる開閉器を操作してしまう虞があった。
【０００７】
そこで、本発明は、斯かる実情に鑑み、作業者が開閉器を手動で操作するにあたり、選択した開閉器と作業者が操作しようとする開閉器とが一致しているか否かを確認することができる配電自動化システムを提供することを課題とする。
【課題を解決するための手段】
【０００８】
本発明に係る配電自動化システムは、開閉器を識別するための識別情報を取得する送信装置と、該送信装置が取得した識別情報を基に処理を行う処理装置と、該処理装置の処理結果を表示する表示装置とを備え、処理装置は、操作対象とする開閉器を選択する選択機能と、送信装置が取得した識別情報を受信するための受信機能と、選択機能で選択した開閉器と受信機能で受信した識別情報が示す開閉器とが一致していなければ、その旨を示す警告情報を表示装置に表示する命令を出力する警告機能とを有することを特徴とする。
【０００９】
上記構成の配電自動化システムによれば、選択機能で選択した開閉器と、受信機能で受信した識別情報が示す開閉器とが一致していなければ、警告機能がその旨を表示するようになっている。すなわち、選択機能で選択した開閉器と、作業者が操作しようとする開閉器とが一致していなければ、警告機能がその旨を表示するようになっている。そのため、警告情報を確認することによって、選択機能で選択した開閉器と、作業者が操作しようとする開閉器とが一致しているか否かを確認することができる。
【００１０】
また、本発明の一態様として、処理装置は、開閉器の状態を示す情報である切替情報を変更する変更機能と、警告機能が警告情報を表示装置に表示する命令を出力しているときに、切替情報の変更を禁止するロック機能とを有するようにしてもよい。
【００１１】
このようにすれば、切替情報を確認することによって、開閉器の状態を確認することができるようになる。また、警告機能が警告情報を表示装置に表示する命令を出力しているときに、ロック機能が変更機能による切替情報の変更を禁止するため、切替情報が示す開閉器の状態と、開閉器の実際の状態とが不一致になることを防止することができる。
【００１２】
また、本発明の他態様として、処理装置は、選択機能で選択された開閉器と受信機能で受信した識別情報が示す開閉器とが一致していると、送信装置が開閉器から識別情報を取得した時刻を示す時刻情報を表示装置に表示する命令を出力する確認状況表示機能を有するようにしてもよい。
【００１３】
このようにすれば、作業者が開閉器から識別情報を取得した時刻を確認することができるため、切替情報が示す開閉器の状態と、開閉器の実際の状態とが不一致になることをより確実に防止できる。
【発明の効果】
【００１４】
以上のように、本発明の配電自動化システムによれば、作業者が開閉器を手動で操作するにあたり、配電自動化システムで選択した開閉器と作業者が操作しようとする開閉器とが一致しているか否かを確認することができるという優れた効果を奏し得る。
【図面の簡単な説明】
【００１５】
【図１】図１は、本発明の一実施形態に係る配電自動化システムのブロック図である。
【図２】図２は、本発明の一実施形態に係る配電自動化システムのユーザーインターフェースの概略図である。
【図３】図３は、同実施形態に係る配電自動化システムのフローチャートである。
【図４】図４は、同実施形態に係る配電自動化システムのフローチャートである。
【図５】図５は、本発明の一実施形態に係る配電自動化システムのユーザーインターフェースの概略図であって、図５Ａは、選択機能が実行される前のユーザーインターフェースの概略図であり、図５Ｂは、選択機能が実行された後のユーザーインターフェースの概略図である。
【図６】図６は、本発明の一実施形態に係る配電自動化システムのユーザーインターフェースの概略図であって、図６Ａは、警告機能が選択機能で選択した開閉器と受信機能で受信した識別情報が示す開閉器とが一致していないと判断したときのユーザーインターフェースの概略図であり、図６Ｂは、確認状況表示機能が時刻情報と作業者識別情報とを表示装置に表示しているときのユーザーインターフェースの概略図である。
【発明を実施するための形態】
【００１６】
以下、本発明の一実施形態に係る配電自動化システムについて、添付図面を参照しつつ説明を行う。
【００１７】
図１及び図２に示すように、本実施形態に係る配電自動化システムは、開閉器Ｓを識別するための識別情報Ｓ１を取得する送信装置１と、該送信装置１が取得した識別情報Ｓ１を基に処理を行う処理装置２と、該処理装置２の処理結果を表示する表示装置３とを備えている。
【００１８】
送信装置１は、処理装置２に識別情報Ｓ１を送信するための送信機能１０を有する。なお、識別情報Ｓ１は、各開閉器Ｓ固有の情報であり、例えば、開閉器Ｓが設置されている電柱の番号等を設定することができる。また、送信装置１は、ネットワークＮを介して受信機能２１と通信できるようになっている。
【００１９】
処理装置２は、操作対象とする開閉器を選択する選択機能２０と、送信装置１が取得した識別情報Ｓ１を受信するための受信機能２１と、選択機能２０で選択した開閉器Ｕ２と受信機能２１で受信した識別情報Ｓ１が示す開閉器Ｓとが一致していなければ、その旨を示す警告情報２２０を表示装置３に表示する命令を出力する警告機能２２とを有する。
【００２０】
また、処理装置２は、開閉器Ｓの状態を示す情報である切替情報２３０を変更する変更機能２３と、警告機能２２が警告情報２２０を表示しているときに、切替情報２３０の変更を禁止するロック機能２４とを有する。
【００２１】
そして、配電自動化システムは、選択機能２０で選択された開閉器Ｕ２と受信機能２１で受信した識別情報Ｓ１が示す開閉器Ｓとが一致しているときに、送信装置１が開閉器Ｓから識別情報Ｓ１を取得した時刻である時刻情報２５０を表示させる命令を出力する確認状況表示機能２５を有する。なお、本実施形態における確認状況表示機能２５は、開閉器Ｓから識別情報Ｓ１を取得した時刻である時刻情報２５０を表示させる命令を表示機能２７に出力するようになっている。
【００２２】
さらに、処理装置２は、受信機能２１を停止させる取消機能２６と、表示装置３に対して、当該システムを操作するためのユーザーインターフェース（後述する、系統図Ｕ１、開閉器Ｕ２、受信機能実行ボタンＵ３、第一の切替ボタンＵ４、第二の切替ボタンＵ５、取消ボタンＵ６）を表示する表示機能２７とを有する。
【００２３】
選択機能２０は、表示装置３に表示される系統図Ｕ１上の開閉器Ｕ２を選択することで、操作対象とする開閉器Ｕ２（実際に操作しようとする開閉器Ｓに対応する開閉器Ｕ２）を選択することができるようになっている。また、選択機能２０は、操作対象とする開閉器Ｕ２が選択されたときに、受信機能２１を実行するようになっている。
【００２４】
さらに、選択機能２０は、操作対象とする開閉器Ｕ２が選択されたときに、選択機能２０で選択した開閉器Ｕ２と受信機能２１で受信した識別情報Ｓ１が示す開閉器Ｓとの対応関係の確認がなされていないことを示す未確認情報２００を表示装置３に表示する命令を出力するようになっている（本実施形態では、表示機能２７に対して、未確認情報２００を表示装置３に表示する命令を出力する）。
【００２５】
なお、系統図Ｕ１上の開閉器Ｕ２を選択する方法としては、表示装置３にカーソルを表示し、処理装置２に接続されている入力装置（例えば、マウスや、キーボード等）でカーソルを移動させて開閉器Ｕ２を選択することができるようにする方法を採用することができる。
【００２６】
受信機能２１は、選択機能２０によって実行されると、送信装置１（受信機能２１）から送信される識別情報Ｓ１を受信可能な状態になる。すなわち、配電自動化システムでは、受信機能２１が実行されると、送信装置１から送信される識別情報Ｓ１を受信可能な状態で待機するようになっている。
【００２７】
また、受信機能２１は、送信装置１から送信される識別情報Ｓ１を受信すると、警告機能２２を実行するようになっている。なお、受信機能２１は、表示装置３に表示される受信機能実行ボタンＵ３を選択することで実行されるようになっている。
【００２８】
警告機能２２は、選択機能２０で選択した開閉器Ｕ２と受信機能２１で受信した識別情報Ｓ１が示す開閉器Ｓとが一致しているか否かを判断するようになっている。また、警告機能２２は、選択機能２０で選択した開閉器Ｕ２と受信機能２１で受信した識別情報Ｓ１が示す開閉器Ｓとが一致していると判断すると、確認状況表示機能２５を実行するようになっている。
【００２９】
そして、警告機能２２は、選択機能２０で選択した開閉器Ｕ２と受信機能２１で受信した識別情報Ｓ１が示す開閉器Ｓとが一致していないと判断すると、警告情報２２０を表示装置３に表示する命令を表示機能２７に出力し、ロック機能２４を実行するようになっている。
【００３０】
さらに、警告機能２２は、表示装置３に警告情報２２０を表示する命令を表示機能２７に出力している状態で受信機能２１が識別情報Ｓ１を受信したときにおいても、選択機能２０で選択された開閉器Ｕ２と受信機能２１が取得した識別情報Ｓ１が示す開閉器Ｓとが一致しているか否かを判断するようになっている。そして、警告機能２２は、警告情報２２０を表示装置３に表示する命令を表示機能２７に出力しているときに、選択機能２０で選択した開閉器Ｕ２と受信機能２１で受信した識別情報Ｓ１が示す開閉器Ｓとが一致していると判断すると警告情報２２０を非表示にしたうえで確認状況表示機能２５を実行するようになっている。
【００３１】
また、警告機能２２は、確認状況表示機能２５を実行する際に、未確認情報２００を非表示にする命令を表示機能２７に出力するようになっている。
【００３２】
変更機能２３は、切替情報２３０に対して、選択機能２０で選択された開閉器Ｕ２が開いている状態であることを示す開情報、又は選択機能２０で選択された開閉器Ｕ２が閉じている状態であることを示す閉情報を設定することができるようになっている。すなわち、変更機能２３は、選択機能２０で選択された開閉器Ｕ２の切替情報２３０を開情報又は閉情報に切り替えるようになっている。
【００３３】
なお、変更機能２３は、表示装置３に表示されている第一の切替ボタンＵ４が押下されると切替情報２３０に開情報を設定し、表示装置３に表示されている第二の切替ボタンＵ５が押下されると切替情報２３０に閉情報を設定するようになっている。また、切替情報２３０には、配電自動化システムで把握している各開閉器Ｓの状態を示す情報が記憶されている。
【００３４】
ロック機能２４は、警告機能２２が表示装置３に表示されている警告情報２２０を非表示にする命令を表示機能２７に出力すると、切替情報２３０に対する変更の禁止を解除するようになっている。
【００３５】
確認状況表示機能２５は、警告機能２２が選択機能２０で選択された開閉器Ｕ２と受信機能２１で受信した識別情報Ｓ１が示す開閉器Ｓとが一致しているときに、作業者を示す情報である作業者識別情報２５１を表示するようになっている。
【００３６】
取消機能２６は、表示機能２７に表示されている取消ボタンＵ６を押下することで実行することができるようになっている。
【００３７】
表示機能２７は、系統図Ｕ１、開閉器Ｕ２、受信機能実行ボタンＵ３、第一の切替ボタンＵ４、第二の切替ボタンＵ５、取消ボタンＵ６を表示装置３に表示するようになっている。また、表示機能２７は、各種情報を表示装置３に表示する命令を受信したときに、命令を受信した情報を表示装置３に表示するようになっている。
【００３８】
本実施形態に係る配電自動化システムは、以上の通りである。続いて、本実施形態に係る配電自動化システムの動作について、添付図面を参照しつつ説明を行う。
【００３９】
配電自動化システムでは、図３、及び図５Ａ、図５Ｂに示すように、選択機能２０によって、操作対象とする開閉器Ｕ２が選択されると（Ｓ１でＹＥＳ）、選択機能２０が表示装置３に未確認情報２００を表示する（Ｓ２）。
【００４０】
そして、受信機能実行ボタンＵ３が押下されると（Ｓ３でＹＥＳ）受信機能２１を実行する。これにより、作業者が開閉器Ｓから取得した識別情報Ｓ１を受信可能な状態になる。このとき、取消ボタンＵ６が押下されると（Ｓ４でＮＯ）、取消機能２６が受信機能２１を停止させた後に（Ｓ５）、処理を終了させる。
【００４１】
受信機能２１は、識別情報Ｓ１を受信すると（Ｓ６）、警告機能２２を実行する。警告機能２２は、選択機能２０で選択した開閉器Ｕ２と受信機能２１で受信した識別情報Ｓ１が示す開閉器Ｓとが一致していると判断した場合（Ｓ７でＹＥＳ）、確認状況表示機能２５を実行する。
【００４２】
その一方で、警告機能２２は、選択機能２０で選択した開閉器Ｕ２と受信機能２１で受信した識別情報Ｓ１が示す開閉器Ｓとが一致していないと判断した場合（Ｓ７でＮＯ）、図４及び図６Ａに示すように、警告情報２２０を表示する（Ｓ８）。
【００４３】
警告情報２２０が表示装置３に表示されるとロック機能２４が実行される（Ｓ９）。このとき、取消ボタンＵ６が押下されると（Ｓ１０でＹＥＳ）、取消機能２６が受信機能２１を停止させ（Ｓ５）、処理を終了させる。また、作業者が開閉器Ｓから取得した識別情報Ｓ１を再び受信機能２１が受信すると（Ｓ１１でＹＥＳ）、警告機能２２が再度、選択機能２０で選択した開閉器Ｕ２と受信機能２１で受信した識別情報Ｓ１が示す開閉器Ｓとが一致しているか否かを判断する（Ｓ１２）。
【００４４】
そして、選択機能２０で選択した開閉器Ｕ２と受信機能２１で受信した識別情報Ｓ１が示す開閉器Ｓとが一致していると警告機能２２が判断すると（Ｓ１２でＹＥＳ）、警告機能２２は、警告情報２２０を非表示にする（Ｓ１３）。これに伴い、ロック機能２４が切替情報２３０に対する変更の禁止を解除し（Ｓ１４）、確認状況表示機能２５を実行する。
【００４５】
その一方で、選択機能２０で選択した開閉器Ｕ２と受信機能２１で受信した識別情報Ｓ１が示す開閉器Ｓとが一致していないと警告機能２２が判断すると（Ｓ１２でＮＯ）、処理を行わずに、再び作業者が開閉器Ｓから取得した識別情報Ｓ１を受信可能な状態になる。
【００４６】
そして、図６Ｂに示すように、確認状況表示機能２５は、実行されると時刻情報２５０と作業者識別情報２５１とを表示装置３に表示する（Ｓ１５）。このような状態で第一の切替ボタンＵ４が選択されると（Ｓ１６）、変更機能２３は、切替情報２３０に開情報を設定する（Ｓ１７）。そして、第二の切替ボタンＵ５が選択されると（Ｓ１６）、変更機能２３は、切替情報２３０に閉情報を設定する（Ｓ１７）。このようにして、切替情報２３０が切り替えられた後に、処理を終了する。
【００４７】
以上のように、本実施形態に係る配電自動化システムによれば、選択機能２０で選択した開閉器Ｕ２と受信機能２１で受信した識別情報Ｓ１が示す開閉器Ｓとが一致していなければ、その旨を示す警告情報２２０を表示する警告機能２２を備えているため、警告機能２２を確認することによって、選択機能２０で選択した開閉器Ｕ２と、作業者が操作しようとする開閉器Ｓとが一致しているか否かを確認することができる。従って、作業者が開閉器Ｓを手動で操作するにあたり、配電自動化システムで選択した開閉器Ｕ２と作業者が操作しようとする開閉器Ｓとが一致しているか否かを確認することができるという優れた効果を奏し得る。
【００４８】
また、開閉器Ｓの状態を示す情報である切替情報２３０を変更する変更機能２３と、警告機能２２が警告情報２２０を表示しているときに、切替情報２３０の変更を禁止するロック機能２４とを備えている。そのため、警告機能２２が選択機能２０で選択された開閉器Ｕ２と受信機能２１で受信した識別情報Ｓ１が示す開閉器Ｓとが一致していないことを表示しているときに、変更機能２３が切替情報２３０を変更することをロック機能２４が禁止するため、開閉器Ｓの実際の状態と、切替情報２３０とが対応していない状態になることを防止することができる。
【００４９】
そして、判断機能が選択機能２０で選択された開閉器Ｕ２と受信機能２１で受信した識別情報Ｓ１が示す開閉器Ｓとが一致しているときに、作業者が開閉器Ｓから識別情報Ｓ１を取得した時刻を示す時刻情報２５０を表示する確認状況表示機能２５を備えているため、作業者が開閉器Ｓから識別情報Ｓ１を取得した時刻を確認することができる。従って、より確実に開閉器Ｓの実際の状態と、切替情報２３０とが対応していない状態になることをより確実に防止することができる。
【００５０】
尚、本発明の配電自動化システムは、上記の実施形態に限定されるものではなく、本発明の要旨を逸脱しない範囲において種々変更を行うことは勿論である。
【００５１】
上記実施形態において、特に言及しなかったが、送信装置１は、作業者が持ち運び可能な端末によって構成することができる。また、送信装置１によって、開閉器Ｓから識別情報Ｓ１を読み取る方法としては、識別情報Ｓ１を記憶させたＩＣを開閉器Ｓに取り付けたり、開閉器Ｓ自体に識別情報Ｓ１を印字し、作業者が送信装置１に識別情報Ｓ１を入力するようにしたりすることができる。
【００５２】
また、上記実施形態において、取消機能２６は、取消ボタンＵ６を押下することで実行されるようになっていたが、これに限定されるものではなく、例えば、取消機能２６は、受信機能２１が所定の時間内に識別情報Ｓ１を受信することができなければ、受信機能２１を終了させて処理を終了させるようにしてもよい。
【００５３】
また、上記実施形態において、処理装置２の選択機能２０は、操作対象となる開閉器Ｕ２が選択されたときに、当該開閉器Ｕ２を示す情報を送信装置１に送信する命令を出力するようにしてもよい。このようにすれば、作業者は、開閉器Ｓから識別情報Ｓ１を取得する際に、選択機能２０によって選択された開閉器Ｕ２の情報を得ることができる。従って、作業者が選択機能２０で選択した開閉器Ｕ２とは異なる開閉器Ｓから識別情報Ｓ１を取得してしまうことを防止することができる。
【００５４】
さらに、このようにする場合、送信装置１は、選択機能２０で選択した開閉器Ｕ２とは異なる開閉器Ｓから識別情報Ｓ１を取得しようとしたとき（例えば、開閉器Ｓに接近したとき等）に、その旨を報知するようにしてもよい。このようにすれば、作業者が選択機能２０で選択した開閉器Ｓとは異なる開閉器Ｓから識別情報Ｓ１を取得してしまうことをより確実に防止することができる。
【符号の説明】
【００５５】
１…送信装置、２…処理装置、３…表示装置、１０…送信機能、２０…選択機能、２１…受信機能、２２…警告機能、２３…変更機能、２４…ロック機能、２５…確認状況表示機能、２６…取消機能、２７…表示機能、２００…未確認情報、２２０…警告情報、２３０…切替情報、２５０…時刻情報、２５１…作業者識別情報、Ｎ…ネットワーク、Ｓ…開閉器、Ｓ１…識別情報、Ｕ１…系統図、Ｕ２…開閉器、Ｕ３…受信機能実行ボタン、Ｕ４…切替ボタン、Ｕ５…切替ボタン、Ｕ６…取消ボタン
【図１】
2014158314.tif 000003
【図２】
2014158314.tif 000004
【図３】
2014158314.tif 000005
【図４】
2014158314.tif 000006
【図５】
2014158314.tif 000007
【図６】
2014158314.tif 000008